【手続補正書】
【提出日】平成23年5月18日(2011.5.18)
【手続補正１】
【補正対象書類名】明細書
【補正対象項目名】発明の名称
【補正方法】変更
【補正の内容】
【発明の名称】財務データを分析してフロード費用を求める方法及びシステム
【手続補正２】
【補正対象書類名】特許請求の範囲
【補正対象項目名】全文
【補正方法】変更
【補正の内容】
【特許請求の範囲】
【請求項１】
財務データを分析して、商品又はサービスの提供者に提示可能な財務情報提示デバイスに関するフロード費用を求めるシステムであって、
プロセッサと、
前記プロセッサが実行可能なフロード査定モジュールとを備え、
前記フロード査定モジュールは、
共に財務情報提示デバイスに関する売上データ及び業務費用データを受信し、
前記受信した売上データ及び費用データに基づいて、直接フロード損失及びフロード業務費用を求めるとともに、
その結果に基づく報告書を生成することができる
ことを特徴とするシステム。
【請求項２】
前記フロード査定モジュールは、フロード関連活動の結果として失われる収入機会を表す機会費用を求めることを特徴とする請求項１記載のシステム。
【請求項３】
前記フロード査定モジュールは、前記機会費用に、財務情報提示デバイスを誤って拒否することによる収入損失を配分することを特徴とする請求項２記載のシステム。
【請求項４】
前記フロード査定モジュールは、前記機会費用に、
財務情報提示デバイスを誤って拒否することによる収入損失と、
ユーザの財務情報提示デバイスに関するフロードの結果としてユーザの信頼が低下することによる収入損失と
を配分することを特徴とする請求項２記載のシステム。
【請求項５】
前記フロード査定モジュールは、前記機会費用に、不審アカウントに伴う収入損失を配分することを特徴とする請求項２記載のシステム。
【請求項６】
前記フロード査定モジュールは、前記機会費用に、財務情報提示デバイスの交換期間における収入損失を配分することを特徴とする請求項２記載のシステム。
【請求項７】
前記フロード査定モジュールは、財務情報提示デバイスの正規保有者が使用法を誤って解釈することによる損失を表す第一者フロード損失を、前記直接フロード損失の一部として求めることを特徴とする請求項１記載のシステム。
【請求項８】
前記フロード業務費用は、財務情報提示デバイスに関するフロード損失の防止、検出、調査、及び回収活動に伴う業務経費を含むことを特徴とする請求項１記載のシステム。
【請求項９】
前記フロード査定モジュールは、
共に財務情報提示デバイスに関する売上データ及び業務費用データを、イシュア及びアクワイアラから受信するとともに、
イシュアによるフロード業務費用とアクワイアラによるフロード業務費用とを含む総フロード費用を前記報告書内に生成する
ことを特徴とする請求項１記載のシステム。
【請求項１０】
前記フロード査定モジュールは、ＩＴ（Ｉｎｆｏｒｍａｔｉｏｎ  Ｔｅｃｈｎｏｌｏｇｙ）システムに関するとともにフロード業務に起因する費用データを受信するようになされていることを特徴とする請求項１記載のシステム。
【請求項１１】
前記フロード査定モジュールは、受信通話に関するとともにフロード関連の問合せに起因する費用データを受信するようになされていることを特徴とする請求項１記載のシステム。
【請求項１２】
前記フロード査定モジュールは、財務情報提示デバイスのユーザへの発信通話に関するとともにフロード関連の問合せに起因する費用データを受信するようになされていることを特徴とする請求項１記載のシステム。
【請求項１３】
前記フロード査定モジュールは、財務情報提示デバイスの交換に関するとともにフロードに起因する費用データを受信するようになされていることを特徴とする請求項１記載のシステム。
【請求項１４】
財務データを分析して、商品又はサービスの提供者に提示可能な財務情報提示デバイスに関するフロード費用を求めるシステムであって、
プロセッサと、
前記プロセッサが実行可能なフロード査定モジュールとを備え、
前記フロード査定モジュールは、
財務情報提示デバイスに関する財務データを受信し、
前記受信したデータに基づいて、
財務情報提示デバイスに関するフロード損失の防止、検出、調査、及び回収活動に伴う業務経費を含むフロード業務費用と、
フロード関連の活動の結果として失われる収入機会に関する機会費用と
を求めるとともに、
その結果に基づく報告書を生成することができる
ことを特徴とするシステム。
【請求項１５】
前記フロード査定モジュールは、前記機会費用に、
財務情報提示デバイスを誤って拒否することによる収入損失と、
ユーザの財務情報提示デバイスに関するフロードの結果としてユーザの信頼が低下することによる収入損失と
を配分することを特徴とする請求項１４記載のシステム。
【請求項１６】
前記フロード査定モジュールは、前記機会費用に、
不審アカウントに伴う収入損失と、
財務情報提示デバイスの交換期間における収入損失と
を配分することを特徴とする請求項１４記載のシステム。
【請求項１７】
前記フロード査定モジュールは、前記受信したデータに基づいて、財務情報提示デバイスの正規保有者が使用法を誤って解釈することによる損失を表す第一者フロードを求めることを特徴とする請求項１４記載のシステム。
【請求項１８】
前記フロード査定モジュールは、
ＩＴ（Ｉｎｆｏｒｍａｔｉｏｎ  Ｔｅｃｈｎｏｌｏｇｙ）システムに関するとともにフロード業務に起因する費用データと、
受信通話に関するとともにフロード関連の問合せに起因する費用データと、
財務情報提示デバイスのユーザへの発信通話に関するとともにフロード関連の問合せに起因する費用データと、
財務情報提示デバイスの交換に関するとともにフロードに起因する費用データ
のうちの一つ又は複数を受信するようになされていることを特徴とする請求項１４記載のシステム。
【請求項１９】
財務データを分析して、商品又はサービスの提供者に提示可能な財務情報提示デバイスに関するフロード費用を求める方法であって、
共に財務情報提示デバイスに関する売上データ及び業務費用データを受信し、
前記受信した売上データ及び費用データに基づいて、直接フロード損失及びフロード業務費用を求めるとともに、
その結果に基づく報告書を生成する
ことを特徴とする方法。
【請求項２０】
前記求めるステップでは、フロード関連活動の結果として失われる収入機会を表す機会費用を求めることを特徴とする請求項１９記載の方法。
【請求項２１】
機会費用を求める前記ステップでは、前記機会費用に、財務情報提示デバイスを誤って拒否することによる収入損失を配分することを特徴とする請求項２０記載の方法。
【請求項２２】
機会費用を求める前記ステップでは、前記機会費用に、
財務情報提示デバイスを誤って拒否することによる収入損失と、
ユーザの財務情報提示デバイスに関するフロードの結果としてユーザの信頼が低下することによる収入損失と
を配分することを特徴とする請求項２０記載の方法。
【請求項２３】
機会費用を求める前記ステップでは、前記機会費用に、不審アカウントに伴う収入損失を配分することを特徴とする請求項２０記載の方法。
【請求項２４】
機会費用を求める前記ステップでは、前記機会費用に、財務情報提示デバイスの交換期間における収入損失を配分することを特徴とする請求項２０記載の方法。
【請求項２５】
前記求めるステップでは、財務情報提示デバイスの正規保有者が使用法を誤って解釈することによる損失を表す第一者フロード損失を求めることを特徴とする請求項１９記載の方法。
【請求項２６】
前記フロード業務費用は、財務情報提示デバイスに関するフロード損失の防止、検出、調査、及び回収活動に伴う業務経費を含むことを特徴とする請求項１９記載の方法。
【請求項２７】
前記受信するステップでは、共に財務情報提示デバイスに関する売上データ及び業務費用データを、イシュア及びアクワイアラから受信するとともに、
前記生成するステップでは、イシュアによるフロード業務費用とアクワイアラによるフロード業務費用とを含む総フロード費用を前記報告書内に生成する
ことを特徴とする請求項１９記載の方法。
【請求項２８】
前記受信するステップでは、ＩＴ（Ｉｎｆｏｒｍａｔｉｏｎ  Ｔｅｃｈｎｏｌｏｇｙ）システムに関するとともにフロード業務に起因する費用データを受信することを特徴とする請求項１９記載の方法。
【請求項２９】
前記受信するステップでは、受信通話に関するとともにフロード関連の問合せに起因する費用データを受信することを特徴とする請求項１９記載の方法。
【請求項３０】
前記受信するステップでは、財務情報提示デバイスのユーザへの発信通話に関するとともにフロード関連の問合せに起因する費用データを受信することを特徴とする請求項１９記載の方法。
【請求項３１】
前記受信するステップでは、財務情報提示デバイスの交換に関するとともにフロードに起因する費用データを受信することを特徴とする請求項１９記載の方法。
【請求項３２】
前記フロード査定モジュールは、
複数の企業主体から、共通に定義された入力項目に則した売上データ及び業務費用データを受信し、
受信したデータに基づいて、直接フロード損失、フロード業務費用及び機会費用を含み、かつベンチマークとして複数の企業主体によってアクセス可能な、フロードデータの参照費用を求めることを特徴とする請求項１記載のシステム。
【請求項３３】
前記フロード査定モジュールは、前記複数の企業主体の直接フロード損失、フロード業務費用及び機会費用を合計することによって、前記フロードデータの参照費用を求めることを特徴とする請求項３２記載のシステム。
【請求項３４】
前記フロード査定モジュールは、複数のイシュアから売上データ及び業務費用データを受信し、
前記求めたフロードデータの参照費用は、前記複数のイシュアの中の平均の直接フロード損失、平均のフロード業務費用及び平均の機会費用に関連していることを特徴とする請求項３２記載のシステム。
【請求項３５】
前記フロード査定モジュールは、複数のアクワイアラから売上データ及び業務費用データを受信し、
前記求めたフロードデータの参照費用は、前記複数のアクワイアラの中の平均の直接フロード損失、平均のフロード業務費用及び平均の機会費用に関連していることを特徴とする請求項３２記載のシステム。
【請求項３６】
前記フロード査定モジュールは、複数の加盟店から売上データ及び業務費用データを受信し、
前記求めたフロードデータの参照費用は、前記複数の加盟店の中の平均の直接フロード損失、平均のフロード業務費用及び平均の機会費用に関連していることを特徴とする請求項３２記載のシステム。
【請求項３７】
前記フロード査定モジュールは、前記フロードデータの参照費用の一部として、平均の機会費用と平均のフロード業務費用を求め、
前記機会費用は、フロード関連活動の結果として失われる収入機会に関連付けられており、前記フロード業務費用は、財務情報提示デバイスに関するフロード損失の防止、検出、調査、及び回収活動に伴う業務経費を含むことを特徴とする請求項３２記載のシステム。
【請求項３８】
前記フロード査定モジュールは、前記機会費用に、
財務情報提示デバイスを誤って拒否することによる収入損失と、
ユーザの財務情報提示デバイスに関するフロードの結果としてユーザの信頼が低下することによる収入損失と、を配分することを特徴とする請求項３７記載のシステム。
【請求項３９】
前記フロード査定モジュールは、前記機会費用に、
不審アカウントに伴う収入損失と、
財務情報提示デバイスの交換期間における収入損失と、を配分することを特徴とする請求項３７記載のシステム。
【請求項４０】
前記フロード査定モジュールは、受信した売上データ及び費用データに基づき、財務情報提示デバイスの正規保有者が使用法を誤って解釈することによる損失を表す第一者フロード損失を、前記直接フロード損失の一部として求めることを特徴とする請求項３７記載のシステム。
【請求項４１】
前記フロード査定モジュールは、ＩＴシステムに関するとともにフロード業務に起因する費用を、前記フロード業務費用として含むことを特徴とする請求項４０記載のシステム。
【請求項４２】
前記フロード査定モジュールは、
ＩＴシステムに関するとともにフロード業務に起因する費用データと、
受信通話に関するとともにフロード関連の問合せに起因する費用データと、
財務情報提示デバイスのユーザへの発信通話に関するとともにフロード関連の問合せに起因する費用データと、
財務情報提示デバイスの交換に関するとともにフロードに起因する費用データ、のうちの一つ又は複数を受信するようになされていることを特徴とする請求項４０記載のシステム。